(57)【要約】      （修正有）【課題】小火器において、信頼性があり、安全なボルト・アセンブリを提供する。【解決手段】改良型回転ロックヘッド２を有するボルト・アセンブリ１であって、ボルト・アセンブリ１が、ボルト本体５と結合し、そしてボルト本体５に対して回転運動及び並進運動の複合運動によって移動可能である回転ロックヘッド２を有し、回転ロックヘッド２が、少なくとも２つの作用位置、即ち回転ロックヘッド２が小火器の銃尾を閉鎖している閉鎖位置と、回転ロックヘッド２が銃尾から距離を置いて配置されている開放位置と、を有するボルト・アセンブリ１において、回転ロックヘッド２を開放位置から閉鎖位置へと付勢する補助プッシャーを有することを特徴とするボルト・アセンブリ１である。【選択図】図２
2014196898.tif 000002
【特許請求の範囲】
【請求項１】
改良型回転ロックヘッドを有するボルト・アセンブリであって、該ボルト・アセンブリが、ボルト本体と結合し、そしてボルト本体に対して回転運動及び並進運動の複合運動によって移動可能である回転ロックヘッドを有し、該回転ロックヘッドが、少なくとも２つの作用位置、即ち該回転ロックヘッドが小火器の銃尾を閉鎖している閉鎖位置と、該回転ロックヘッドが該銃尾から距離を置いて配置されている開放位置と、を有するボルト・アセンブリにおいて、該回転ロックヘッドを該開放位置から該閉鎖位置へと付勢する付勢手段を有することを特徴とするボルト・アセンブリ。
【請求項２】
回転ロックヘッドが、円筒形ヘッド及びシャフトを有し、該シャフトが、ボルト本体に形成された長手方向穴内を滑動可能であり、そして、該シャフトが、該シャフトに形成された切り欠きと係合するピンにより保持され、該切り欠きが後面及び前面を有し、該シャフトが半径方向旋回軸を有し、該半径方向旋回軸が、ボルト本体に形成されたらせん状カム溝と係合し、該回転ロックヘッドが軸方向に移動する時に、該回転ロックヘッドに回転運動を与えることを特徴とする請求項１に記載のボルト・アセンブリ。
【請求項３】
該円筒形ヘッドが半径方向に配置された突起部を備え、該突起部が前方固定面を形成し、該突起部が、銃身の後方延長部に形成された対応する半径方向受座と係合して銃尾面をロックするのに適しており、該開放位置において、該円筒形ヘッドが該銃尾面から間隔を置いて配置され、そして、該円筒形ヘッドが、該突起部が銃身のそれぞれの該受座と位置合せされていない位置において回転することを特徴とする請求項２に記載のボルト・アセンブリ。
【請求項４】
該付勢手段が、該ボルト本体に形成された半径方向穴内に挿入されるボールを有し、該ボールが、該半径方向穴内に押し込まれるリベットと対照をなす付勢ばねにより付勢され、該ボールが、該半径方向穴において、該長手方向穴の内面上に形成された開口に接触し、該回転ロックヘッドが該開放位置にある時に該ボールが該シャフトの表面に接触し、該回転ロックヘッドが該閉鎖位置に向って移動する時に、該ボールが、シャフトの該切り欠きの該前面に形成された傾斜面に配置され、そして、該付勢ばねにより付勢され、該ボールが該傾斜面に作用し、回転ロックヘッドの回転を引き起こし、ロックを完了する為に、銃尾面に向かう回転ロックヘッドの並進運動を促進することを特徴とする請求項１に記載のボルト・アセンブリ。
【請求項５】
該閉鎖位置において、該付勢手段が、該回転ロックヘッドが該閉鎖位置から外れることを防止し、該ボールが該傾斜面に作用して該回転ロックヘッドの戻り運動を防止することを特徴とする請求項４に記載のボルト・アセンブリ。
【発明の詳細な説明】
【技術分野】
【０００１】
本発明は、改良型回転ロックヘッドを有するボルト・アセンブリに関する。
【背景技術】
【０００２】
回転ボルトは、ガス利用式、反動利用式、ボルト・アクション式、レバー・アクション式、そしてポンプ・アクション式の武器のデザインに発見される。
【０００３】
回転ボルトは典型的に、銃身延長部に備えられた受座と係合する突起部(lugs)又は半径方向突起部(radial lugs)を備えた回転ヘッドを有する。
【０００４】
一般的に、回転ヘッドは、回転ヘッドに回転運動及び並進運動の複合運動を与える旋回軸及びらせん状カムを有するシステムにより、ボルト本体に対して移動することができる。
【０００５】
回転ヘッドにらせん状カムが形成されているシステムが周知であり、他にはボルト本体にらせん状カムが形成されているシステムが周知であり、そして、らせん状カムが、第一のシステムの場合にはボルト本体と一体となっている半径方向旋回軸と係合し、第二のシステムの場合には回転ヘッドと一体になっている半径方向旋回軸と係合する。
【０００６】
ＥＰ０１２８１２５には、広く利用されており、そして広く利用され続けている上記の型のボルト・アセンブリが開示されている。
【０００７】
ＥＰ１１３０３５０には、回転ヘッドを有する遊底が開示され、遊底のスリーブと結合された、強制的に制御される停止手段が、遊底のロックをもたらす角運動量を阻止する。
【０００８】
ＤＥ７１３１２６には、ヘッドの閉鎖運動を促進するのに適した補助ばねを有する、マシンガンの為の遊底が開示されている。
【０００９】
猟銃に使用される慣習的な回転ヘッドボルトは、事実、狩猟活動中に起こりえる特定の状況により、操作時にいくつかの異常を示していた。
【００１０】
銃口を上に向けてライフルを肩に背負って運んでいる時に、例えば狩猟者が溝を飛び越えたことにより引き起こされる衝撃によって、回転ヘッドが発砲準備ができたロック位置から外れてしまうことが認められた。このことは、回転ヘッドが回復ばねにより阻止されていないので、銃身延長部の受座から突起部が外れて、回転ヘッドが引っ込むことができるから起こるものである。
【００１１】
このことが起こり、そして狩猟者がこのことに気がつかないと、発砲したい時に、ボルトがロックされていないので、小火器は発砲できない。もし動物が瞬時に逃げなくても、狩猟者による強制的なボルトの再ロックの音が聞こえた時に動物は確実に逃げてしまう。
【００１２】
ボルトを手動でロックする為には、狩猟者は、ボルトを後方に移動させ、その後、回転ヘッドがロック位置に戻ることを確実にする為に、ボルトを敏速に前方に移動させる手順に従って動作しなければならない。
【００１３】
そのような動作の追加的な問題は、一般的に、ボルトをゆっくりとした静かな動作でロックすることが簡単ではないことである。なぜなら、回転ヘッドが、ロックを完了することなく、銃身に備えられた受座の入口面に対応する位置で停止してしまう傾向にあるからである。なぜなら、回転ヘッドの突起部が上記受座と位置合せされていないからである。このことは、回転ヘッドが、銃身の受座内への突起部の挿入を可能にする為に必要な回転運動及び並進運動を完了するための残留エネルギーを欠いているから起こるものである。
【００１４】
もし狩猟者が、例えば入手可能になった標的に適した弾薬筒に変更したい場合に、狩猟者が、動物を驚かせることを避ける為にすごく静かに弾薬筒を変更しなければならない時に、そのような問題が起こるものである。しかしながら、狩猟者はゆっくりとした、そして結果として静かな動作で小火器を再装弾することはできず、ボルトを敏速にロック位置まで押し込むことを強いられ、したがって、動物を驚かせて標的を逃がしてしまう。
【発明の開示】
【発明が解決しようとする課題】
【００１５】
本発明の目的は、上記問題を解決する改良型のロックを有する回転ヘッド・ボルト・アセンブリを提供することである。
【００１６】
本発明の目的は、ガス利用式、反動利用式、ボルト・アクション式、レバー・アクション式、そしてポンプ・アクション式のような、様々なデザインの武器に適応したボルト・アセンブリを提供することである。
【００１７】
本発明の更なる目的は、小火器の通常の動作にどんな影響も与えないシステムを提供することである。
【００１８】
本発明の更なる目的は、既存のボルトに使用することができるシステムを提供することである。
【００１９】
本発明の更なる目的は、伝統的なボルトに既に必要な整備以外に、追加の整備をする必要のないボルト・アセンブリを提供することである。
【００２０】
本発明の更なる目的は、信頼性があり、安全なボルト・アセンブリを提供することである。
【課題を解決するための手段】
【００２１】
本発明の上記目的、及び以下でより明らかになる他の目的は、改良型回転ロックヘッドを有するボルト・アセンブリであって、該ボルト・アセンブリが、ボルト本体と結合し、そしてボルト本体に対して回転運動及び並進運動の複合運動によって移動可能である回転ロックヘッドを有し、該回転ロックヘッドが、少なくとも２つの作用位置、即ち該回転ロックヘッドが小火器の銃尾を閉鎖している閉鎖位置と、該回転ロックヘッドが該銃尾から距離を置いて配置されている開放位置と、を有するボルト・アセンブリにおいて、該回転ロックヘッドを該開放位置から該閉鎖位置へと付勢する付勢手段(bias means)を有することを特徴とするボルト・アセンブリにより達成される。
【図面の簡単な説明】
【００２２】
【図１】本発明のボルト・アセンブリの底面図である。
【図２】作用終了位置の付勢手段を示す、ボルト・アセンブリの長手方向側断面図である。
【図３】付勢手段の介入中の、受座の挿入面に回転ヘッドを有するボルト・アセンブリを示す、図２と同様の図である。
【図４】開放位置のボルト・アセンブリを示す、図１の断面II-IIに沿った長手方向側断面図である。
【図５】ロック位置のボルト・アセンブリを示す、図４と同様の図である。
【図６】ボルト・アセンブリの、図１の面VI-VIに沿った横断面図である。
【図７】ボルト・アセンブリの平面図である。
【発明を実施するための最良の形態】
【００２３】
本発明の更なる特徴及び利点は、添付の図面に比限定的な実施例として示されている、本発明の好ましいが限定的ではない実施形態の記載からより明らかになるであろう。
【００２４】
添付の図面を参照に、通常は参照番号１により示されている、本発明による改良型のロックを有する回転ヘッド・ボルト・アセンブリは、回転ロックヘッド２を有し、該回転ロックヘッドは円筒形ヘッド３及びシャフト４を有する。
【００２５】
回転ヘッドのシャフト４は、ボルト本体５の長手方向穴６内に滑り込み、シャフト４に形成された切り欠き内に係合するピン７により休止位置に保持される。切り欠きは後面８及び前面９を有し、ここで、後及び前という用語は銃尾に対する位置を参照にしている。
【００２６】
シャフト４は、ボルト本体に形成されたらせん状カム溝(helical cam groove)１１に係合する、半径方向旋回軸(radial pivot)１０を有し、それにより、ロックヘッドが軸方向に移動する時に、ロックヘッドに回転運動を与える。
【００２７】
円筒形ヘッド３が突起部１２を備え、該突起部が半径方向に配置され、そして単一の前方固定面１３を形成する。
【００２８】
突起部１２が、銃尾をロックする為に、銃身１５の後方延長部に備えられた対応する半径方向受座１４に係合する。
【００２９】
ボルト・アセンブリ１が、２つの作用位置、即ち図５に示されたロック位置と、図４に示された開放位置と、を有する。
【００３０】
開放位置において、円筒形ヘッド３は固定面から間隔を置いて配置され、そして、該円筒形ヘッドは、突起部１２が銃身のそれぞれの受座１４と軸方向に位置合せされていないような位置において回転する。
【００３１】
図７には、ボルト本体５に対する回転ヘッド２の回転運動及び並進運動がどのように旋回軸１０により案内されるかが示されており、該旋回軸はらせん状カム溝１１の形状に従って進ませられる。
【００３２】
開放位置からロック位置への移行において、旋回軸１０は参照番号Ｂにより示されている位置から参照番号Ａにより示されている位置へと移動する。
【００３３】
この移動中に、旋回軸１０は、小火器の通常の動作中のボルトヘッドの跳ね上がりを防止する為にらせん状カム溝１１に形成されている傾斜面１５０に接触する。
【００３４】
傾斜面１５０を通過した後に、旋回軸１０は円筒形ヘッド３に更なる回転を与え、突起部１２が受座１４と位置合せされ、該円筒形ヘッドの追加の並進運動により該突起部が該受座内に入ることを可能にする。
【００３５】
本発明によると、ボルト・アセンブリは、回転ヘッドのロックを促進するのに適している付勢手段を備えている。
【００３６】
通常は参照番号１００により示されている付勢手段は、図３に示される位置から図５に示されるロック位置へと移動するステップにおいて作用する。
【００３７】
前方固定面１３が、参照番号１６によって示されている受座１４の挿入面に隣接している位置に、円筒形ヘッド３が位置している時に、突起部１２は受座１４と位置合せされておらず、したがって、該突起部を該受座と位置合せして該突起部を該受座内に挿入する為には、円筒形ヘッド３の追加の回転運動が必要である。
【００３８】
このステップにおいて、付勢手段が作動し始め、回転ヘッドに回転運動及び並進運動を与えるのに十分な圧力で回転ヘッドを押圧する。
【００３９】
小火器の通常の動作においては、ボルト・アセンブリの慣性力が十分であるから、ボルトの完全なロックを実行する為に付勢手段は必要ではない。
【００４０】
付勢手段１００は、例えば使用者が音を立てずに小火器を装填したい時に、手動で実施されるボルトの運動が遅い場合に作動し始める。
【００４１】
付勢手段１００は、回転ヘッドがボルト本体５に対して自由に移動することができるので、衝撃及び他の急激な動作により、回転ヘッド２がロック位置から外れることも防止する。
【００４２】
ここに記載の構造的な実施例において、付勢手段１００は、ボルト本体５に備えられた半径方向穴１０２に挿入されるボール１０１を有する。
【００４３】
ボール１０１は、半径方向穴１０２内に押し込まれるリベット１０４と対照をなす付勢ばね１０３によって付勢され、それにより、該ボール１０１は、半径方向穴１０２において、長手方向穴６の内面に形成された開口１０５に接触する。
【００４４】
回転ヘッドがボルト本体内に挿入され、図７を参照に、旋回軸１０が位置Ａに配置された時に、ボール１０１はシャフト４の表面に接触する。
【００４５】
ロックする為に、回転ヘッド２が銃尾の方向に移動した時に、ボール１０１は、シャフト４の切り欠きの前面９上に形成された傾斜面１０６に配置され、そして、ボール１０１は、付勢ばね１０３により押されて、傾斜面１０６に作用して、回転ヘッド２を回転させ、ロックを完了する為に、銃尾面に向かう回転ヘッドの回転運動及び並進運動を促進する。
【００４６】
図５に示される位置において、ボルトがロックされると、付勢手段１００が、回転ヘッド２がロック位置から外れることを防止する。なぜなら、ボール１０１が傾斜面１０６に作用して、回転ヘッド２が引っ込むことを防止するからである。
【００４７】
したがって、例えば銃口を上に向けて小火器を肩に背負って運んでおり、衝撃によって、重力によりボルトが押し下げられた時に、付勢手段は回転ヘッドがロック位置から外れることを防止する。
【００４８】
付勢手段のもう１つの有用な介入は、使用者がゆっくりした動作で小火器を手動で装填する場合である。使用者が敏速にボルトを押し込まないと、回転ヘッドは、円筒形ヘッド３の前方固定面１３が受座１４の挿入面１６に隣接しており、突起部１２が受座１４と位置合せされていない、図３に示す位置で停止してしまうことがある。この時に付勢手段が介入して、完全なロックを実施する為に、回転運動及び並進運動を完了するのに必要な推進力を提供する。
【００４９】
実際に、本発明は意図する目的を達成することが発見されており、提供される回転ヘッドを有するボルト・アセンブリは、使用の特定条件において介入する付勢手段によりロックを促進する。
【００５０】
例えばＥＰ１１３０３５０及びＤＥ７１３１２６の補助ばねとは違い、本発明の付勢手段はボルトの閉鎖力に影響を与えるものではない。
【００５１】
また、本発明の付勢手段は、小火器の通常の動作には介入せず、小火器の一般的な構造には影響を与えないものである。
【００５２】
本発明によるシステムのもう１つの利点は、回転ヘッドを有する振動ボルトを備えた既存の小火器に使用することができることである。
【符号の説明】
【００５３】
１  ボルト・アセンブリ
２  回転ロックヘッド
３  円筒形ヘッド
４  シャフト
５  ボルト本体
６  長手方向穴
７  ピン
８  切り欠きの後面
９  切り欠きの前面
１０  旋回軸
１１  らせん状カム溝
１２  突起部
１３  前方固定面
１４  受座
１５  銃身
１６  １４の挿入面
１００  付勢手段
１０１  ボール
１０２  半径方向穴
１０３  付勢ばね
１０４  リベット
１０５  開口
１０６  傾斜面
１５０  傾斜面
【図１】
2014196898.tif 000003
【図２】
2014196898.tif 000004
【図３】
2014196898.tif 000005
【図４】
2014196898.tif 000006
【図５】
2014196898.tif 000007
【図６】
2014196898.tif 000008
【図７】
2014196898.tif 000009
【外国語明細書】
2014196898.tif 000010
2014196898.tif 000011
2014196898.tif 000012
2014196898.tif 000013
2014196898.tif 000014
2014196898.tif 000015
2014196898.tif 000016
2014196898.tif 000017
2014196898.tif 000018
2014196898.tif 000019
2014196898.tif 000020
2014196898.tif 000021
2014196898.tif 000022
2014196898.tif 000023
2014196898.tif 000024
2014196898.tif 000025